【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
一連のステップを含むアルゴリズムの第１のバージョンの可視化をユーザに表示するステップであって、前記第１のバージョンの可視化が、前記アルゴリズムの第１のステップにおける入力のためのアクティブプロンプトを含む、ステップと、
ユーザ入力及び自動入力の一方である、入力を前記アクティブプロンプトで受信するステップと、
前記入力に基づき、前記可視化の更新したバージョンを決定及び表示するステップであって、前記更新したバージョンは、前記第１のバージョンの可視化の少なくとも１つの要素を含み、前記要素は、非アクティブステップとして示される前記第１のステップに関連する部分を含み、並びに前記第１のバージョンの可視化の少なくとも１つのさらなる要素を削除する及び少なくとも１つのさらなる要素を前記第１のバージョンの可視化に追加することの一方を行っている、ステップと、
前記可視化の更新したバージョンにおいて、非アクティブステップとして示される前記アルゴリズムの第１のステップの選択を受信するステップと、
前記選択に基づき、前記第１のステップに対応する前記第１のバージョンの可視化へと前記可視化を戻すステップとを有する方法。
【請求項２】
前記入力が前記アルゴリズムの終了となるかを判断するステップと、
前記入力が前記アルゴリズムの終了となる場合、前記入力に基づいて決定される、前記アルゴリズムの出力をユーザに表示するステップとをさらに有する請求項１に記載の方法。
【請求項３】
前記入力が前記アルゴリズムの終了とはならない場合、さらなる入力のためのさらなるプロンプトを含んでいる、前記可視化の更新したバージョンを前記ユーザに表示するステップをさらに有する請求項２に記載の方法。
【請求項４】
前記入力はユーザ入力である、並びに前記ユーザ入力は、複数のテキストのオプションからの選択、複数の画像のオブションからの選択、テキスト値の入力、数値の入力及びカレンダーから日付の選択の１つを含んでいる、請求項１に記載の方法。
【請求項５】
前記入力は自動入力である、並びに前記自動入力は、データ記憶装置及び患者のセンサの一方から受信される、請求項１に記載の方法。
【請求項６】
前記可視化の更新したバージョンは、前記第１のバージョンの可視化の少なくとも１つのさらなる要素を削除する、並びに前記第１のバージョンの可視化の削除される要素は、削除される前記アルゴリズムの選択されなかった分岐、削除される前記入力により利用不能となった前記アルゴリズムの選択された分岐の部分、及び非アクティブなステップの集合を１つのステップに切り捨ての１つである、請求項１に記載の方法。
【請求項７】
複数のアルゴリズムであって、各アルゴリズムが、一連のステップを含む、複数のアルゴリズム及びアルゴリズム可視化モジュールを記憶しているメモリと、
処理器とを有するシステムであって、
前記処理器が、
前記複数のアルゴリズムの１つの選択を受信する、
前記選択されたアルゴリズムの第１のバージョンの可視化をユーザに表示し、前記第１のバージョンの可視化が、前記アルゴリズムの第１のステップにおける入力のためのアクティブプロンプトを含み、
ユーザ入力及び自動入力の一方である入力を前記アクティブプロンプトで受信する、
前記入力に基づき、前記可視化の更新したバージョンを決定及び表示し、前記更新したバージョンは、前記第１のバージョンの可視化の少なくとも１つの要素を含み、前記要素は、非アクティブステップとして示される前記第１のステップに関連する部分を含み、並びに前記第１のバージョンの可視化の少なくとも１つのさらなる要素を削除する及び少なくとも１つのさらなる要素を前記第１のバージョンの可視化に追加することの一方を行い、
前記可視化の更新したバージョンにおいて、非アクティブステップとして示される前記アルゴリズムの第１のステップの選択を受信し、並びに
前記選択に基づき、前記第１のステップに対応する前記第１のバージョンの可視化へと前記可視化を戻す、システム。
【請求項８】
前記処理器は、前記入力が前記アルゴリズムの終了となるかを判断し、前記入力が前記アルゴリズムの終了となる場合、前記入力に基づいて決定される前記アルゴリズムの出力をユーザに表示し、前記出力が、テキスト出力及びマルチメディア出力の一方である、請求項７に記載のシステム。
【請求項９】
前記入力が前記アルゴリズムの終了とならない場合、前記処理器は、さらなる入力のためのさらなるプロンプトを含んでいる、前記可視化の更新したバージョンを前記ユーザに表示する、請求項７に記載のシステム。
【請求項１０】
ユーザからの入力を受信するための入力部であり、複数のテキストのオプションからの選択、複数の画像のオプションからの選択、テキスト値の入力、数値の入力及びカレンダーから日付の選択の１つを含んでいる、入力部をさらに有する請求項７に記載のシステム。
【請求項１１】
前記入力は自動入力である、並びに前記自動入力はデータ記憶装置及び患者のセンサの一方から受信される、請求項７に記載のシステム。
【請求項１２】
前記可視化の更新したバージョンは、前記第１のバージョンの可視化の少なくとも１つのさらなる要素を削除する、並びに前記第１のバージョンの可視化の削除される要素は、削除される前記アルゴリズムの選択されなかった分岐、削除される前記入力により利用不能となった前記アルゴリズムの選択された分岐の部分、及び非アクティブなステップの集合を１つのステップに切り捨ての１つである、請求項７に記載のシステム。
【請求項１３】
処理器により実施可能な命令の組を記憶している非一時的なコンピュータ読取可能な記憶媒体において、前記命令の組は、
一連のステップを含むアルゴリズムの第１のバージョンの可視化をユーザに表示し、前記第１のバージョンの可視化が、前記アルゴリズムの第１のステップにおける入力のためのアクティブプロンプトを含み、
前記ユーザからユーザ入力を前記アクティブプロンプトで受信し、
前記ユーザ入力に基づき、前記可視化の更新したバージョンを決定及び表示し、前記更新したバージョンは、前記第１のバージョンの可視化の少なくとも１つの要素を含み、前記要素は、非アクティブステップとして示される前記第１のステップに関連する部分を含み、並びに前記第１のバージョンの可視化の少なくとも１つのさらなる要素を削除する及び少なくとも１つのさらなる要素を前記第１のバージョンの可視化に追加することの一方を行い、
前記可視化の更新したバージョンにおいて、非アクティブステップとして示される前記アルゴリズムの第１のステップの選択を受信し、並びに
前記選択に基づき、前記第１のステップに対応する前記第１のバージョンの可視化へと前記可視化を戻すよう動作可能である、非一時的なコンピュータ読取可能な記憶媒体。
【請求項１４】
前記命令の組はさらに、
前記ユーザ入力が前記アルゴリズムの終了となるかを判断する、及び
前記ユーザ入力が前記アルゴリズムの終了となる場合、前記ユーザ入力に基づいて決定される前記アルゴリズムの出力をユーザに表示するように動作可能である、請求項１３に記載の非一時的なコンピュータ読取可能な記憶媒体。
【請求項１５】
前記命令の組はさらに、
前記ユーザ入力が前記アルゴリズムの終了とはならない場合、さらなるユーザ入力のためのさらなるユーザ入力を含んでいる、前記可視化の更新したバージョンを前記ユーザに表示するように動作可能である、請求項１４に記載の非一時的なコンピュータ読取可能な記憶媒体。